(57)【要約】【課題】機器を使用する利用者に対し、節電に努める気にさせることができるデマンド制御装置を提供する。【解決手段】デマンド制御装置は、デマンド制御の対象となり得る複数の機器の動作履歴を記録する履歴情報記録手段と、前記履歴情報記録手段に記録された前記複数の機器の動作履歴のうちでデマンド制御の対象となっていない際の動作履歴に基づいて、デマンド制御が行われる際の機器の優先順位を評価する評価手段と、を備えた。【選択図】図２
2015226414.tif 000002
【特許請求の範囲】
【請求項１】
デマンド制御の対象となり得る複数の機器の動作履歴を記録する履歴情報記録手段と、
前記履歴情報記録手段に記録された前記複数の機器の動作履歴のうちでデマンド制御の対象となっていない際の動作履歴に基づいて、デマンド制御が行われる際の機器の優先順位を評価する評価手段と、
を備えたデマンド制御装置。
【請求項２】
前記評価手段は、予め設定された対象期間においてデマンド制御の対象となっていない際の動作していない時間が他の機器よりも長い機器に対し、デマンド制御の対象となる際の優先順位を下げる請求項１に記載のデマンド制御装置。
【請求項３】
前記評価手段は、予め設定された対象期間においてデマンド制御の対象となっていない際の動作していない時間が最も長い機器に対し、デマンド制御の対象となる際の優先順位を下げる請求項２に記載のデマンド制御装置。
【請求項４】
前記評価手段によりデマンド制御の対象となる際の優先順位を下げられる機器に対応付けられた利用者のメールアドレスに当該機器に対してデマンド制御の対象となる際の優先順位を下げられる旨を通知する通知手段、
を備え、
前記評価手段は、前記通知手段が通知した機器に対して指定された期間においてデマンド制御が行われる際の当該機器の優先順位を下げる請求項１から請求項３のいずれか一項に記載のデマンド制御装置。
【発明の詳細な説明】
【技術分野】
【０００１】
この発明は、デマンド制御装置に関する。
【背景技術】
【０００２】
特許文献１には、デマンド制御装置が記載されている。当該デマンド制御装置によれば、予め設定された期間内における電力使用量の予測値が契約電力を超過する場合に、デマンド制御が行われる。デマンド制御においては、優先順位の高い機器の動作が制限される。
【先行技術文献】
【特許文献】
【０００３】
【特許文献１】特開平７−１４３６７０号公報
【発明の概要】
【発明が解決しようとする課題】
【０００４】
しかしながら、特許文献１に記載のものにおいては、優先順位は、デマンド制御装置の側の都合で設定される。このため、利用者が節電に協力しても、利用者にとって好ましいことが起こるわけではない。その結果、利用者は、節電に努める気にならない。
【０００５】
この発明は、上述の課題を解決するためになされた。この発明の目的は、機器を使用する利用者に対し、節電に努める気にさせることができるデマンド制御装置を提供することである。
【課題を解決するための手段】
【０００６】
この発明に係るデマンド制御装置は、デマンド制御の対象となり得る複数の機器の動作履歴を記録する履歴情報記録手段と、前記履歴情報記録手段に記録された前記複数の機器の動作履歴のうちでデマンド制御の対象となっていない際の動作履歴に基づいて、デマンド制御が行われる際の機器の優先順位を評価する評価手段と、を備えた。
【発明の効果】
【０００７】
この発明によれば、評価手段は、履歴情報記録手段に記録された複数の機器の動作履歴のうちでデマンド制御の対象となっていない際の動作履歴に基づいて、デマンド制御が行われる際の機器の優先順位を評価する。このため、機器を使用する利用者に対し、デマンド制御が行われていない際に節電に努める気にさせることができる。
【図面の簡単な説明】
【０００８】
【図１】この発明の実施の形態１におけるデマンド制御装置として機能するビル管理システムの構成図である。
【図２】この発明の実施の形態１におけるデマンド制御装置として機能するビル管理システムのブロック図である。
【図３】この発明の実施の形態１におけるデマンド制御装置として機能するビル管理システムの制御対象機器情報の一例を示す図である。
【図４】この発明の実施の形態１におけるデマンド制御装置として機能するビル管理システムが管理する動作履歴情報の一例を示す図である。
【図５】図４の動作履歴情報を視覚的に表す図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１におけるデマンド制御装置として機能するビル管理システムの構成図である。
【００１１】
図１において、複数の機器は、図示しないビルに設けられる。例えば、複数の機器は、照明装置、空調装置等からなる。複数の機器は、複数のグループに分けられる。例えば、機器１、２、３は、第１グループに属する。機器４、５、６は、第２グループに属する。機器７、８、９は、第３グループに属する。複数のリモコン１ａ〜９ａの各々は、対応した機器１〜９に接続される。
【００１２】
受電電力計１０は、ビルに設けられる。表示装置１１は、ビルの管理室に設けられる。ビル管理システム１２は、ビルの管理室に設けられる。ビル管理システム１２は、複数の機器と受電電力計１０と表示装置１１とに接続される。
【００１３】
ビル管理システム１２は、デマンド制御装置の機能を備える。ビル管理システム１２は、デマンド制御装置以外の装置の機能も備える。
【００１４】
ビル管理システム１２は、表示装置１１の操作画面で設定された契約電力の値に関する情報を表示装置１１から受信する。ビル管理システム１２は、複数の機器１〜９が消費する電力の値に関する情報を受電電力計１０から受信する。ビル管理システム１２は、複数の機器１〜９が消費する電力の値と契約電力の値とに基づいて複数の機器１〜９を制御する。ビル管理システム１２は、複数の機器１〜９の制御に関する情報を表示装置１１に表示させる。
【００１５】
次に、図２を用いて、ビル管理システム１２の詳細を説明する。
図２はこの発明の実施の形態１におけるデマンド制御装置として機能するビル管理システムのブロック図である。
【００１６】
図２に示すように、ビル管理システム１２は、スケジュール手段１２ａと機器情報記録手段１２ｂと履歴把握手段１２ｃと履歴情報記録手段１２ｄと評価手段１２ｅとデマンド監視制御手段１２ｆとを備える。
【００１７】
スケジュール手段１２ａは、予め設定されたスケジュールで複数の機器１等を制御する。
【００１８】
機器情報記録手段１２ｂは、制御対象機器情報を記録する。例えば、制御対象機器情報は、表示装置１１の設定画面を操作することにより設定される。制御対象機器情報は、デマンド制御が行われる際の機器１等の優先順位に関する情報を含む。例えば、機器情報記録手段１２ｂは、デマンド制御が行われる際の機器１等の優先順位のレベルを記録する。優先順位は、快適性への機器１等の影響度、機器１等の電力使用量を考慮して設定される。例えば、サーバールームの空調装置は、デマンド制御の対象とされない。
【００１９】
履歴把握手段１２ｃは、複数の機器１等の動作履歴を把握する。例えば、履歴把握手段１２ｃは、スケジュール手段１２ａが機器１等をＯＮにしたことを把握する。例えば、履歴把握手段１２ｃは、利用者がリモコン１ａ等を利用して機器１等をＯＦＦにしたことを把握する。
【００２０】
履歴情報記録手段１２ｄは、履歴把握手段１２ｃに把握された複数の機器１等の動作履歴を一定期間記録する。例えば、履歴情報記録手段１２ｄは、複数の機器１等の動作履歴を３日間の分だけ記録する。例えば、履歴情報記録手段１２ｄは、複数の機器１等の動作履歴を１週間の分だけ記録する。例えば、履歴情報記録手段１２ｄは、複数の機器１等の動作履歴を１年間の分だけ記録する。
【００２１】
評価手段１２ｅは、履歴情報記録手段１２ｄに記録された複数の機器１等の動作履歴に基づいて利用者の節電に対する取り組みを評価する。例えば、評価手段１２ｅは、デマンド制御の対象となっていない際の動作履歴に基づいて、デマンド制御が行われる際の機器１等の優先順位を評価する。
【００２２】
例えば、評価手段１２ｅは、同一のレベルの中で最も評価値の大きい機器１等のレベルを別の期間においてより低いレベルに組み込むように評価する。例えば、評価手段１２ｅは、同一のレベルの中で最も評価値の大きい機器１等のレベルを次の期間においてより低いレベルに組み込むように評価する。例えば、評価手段１２ｅは、同一のレベルの中で最も評価値の大きい機器１等のレベルを次の１時間においてより低いレベルに組み込むように評価する。例えば、評価手段１２ｅは、同一のレベルの中で最も評価値の大きい機器１等のレベルを翌日全日においてより低いレベルに組み込むように評価する。評価手段１２ｅは、評価結果に基づいて機器情報記録手段１２ｂの制御対象機器情報を書き換える。
【００２３】
デマンド監視制御手段１２ｆは、予め設定された期間が完了した時点の電力使用量を予測する。例えば、デマンド監視制御手段１２ｆは、当該期間の開始時点から現時点の電力使用量の実測値と経過時間とに基づいて当該期間が終了した時点の電力使用量を予測する。
【００２４】
デマンド監視制御手段１２ｆは、当該期間が終了した時点の電力使用量の予測値と契約電力の値とを比較する。例えば、デマンド監視制御手段１２ｆは、３０分の期間毎に当該期間が終了した時点の電力使用量の予測値と契約電力の値とを比較する。
【００２５】
当該期間が終了した時点の電力使用量の予測値が契約電力の値を超過する場合、デマンド監視制御手段１２ｆは、機器情報記録手段１２ｂに記録された制御対象機器情報に基づいて複数の機器１等を制御する。例えば、デマンド監視制御手段１２ｆは、デマンド制御が行われる際の優先順位のレベルが最も高い機器１等の全てをＯＦＦにする。例えば、デマンド監視制御手段１２ｆは、デマンド制御が行われる際の優先順位のレベルが最も高い機器１等の全ての出力を抑える。
【００２６】
デマンド制御の対象となった機器１等が空調装置の場合、デマンド監視制御手段１２ｆは、空調装置の設定温度を電力消費しない方向に再設定する。具体的には、夏季の場合、デマンド監視制御手段１２ｆは、空調装置の設定温度を上げる。冬季の場合、デマンド監視制御手段１２ｆは、空調装置の設定温度を下げる。
【００２７】
当該期間が終了する時点での電力使用量の予測値がデマンド制御の対象となった機器１等の電力使用量の削減量によって契約電力の値よりも小さくなった場合、デマンド監視制御手段１２ｆは、現状のデマンド制御を維持する。当該期間が終了する時点での電力使用量の予測値がデマンド制御の対象となった機器１等の電力使用量の削減量によっても契約電力の値よりも小さくならない場合、デマンド監視制御手段１２ｆは、優先順位のレベルが次に高い機器１等の全てを制御する。
【００２８】
当該期間が終了する時点での電力使用量の予測値がデマンド制御の対象となった機器１等の電力使用量の削減量によって契約電力の値よりも小さくなるまで、デマンド監視制御手段１２ｆは、当該判定と制御とを繰り返す。
【００２９】
次の期間が開始した場合、デマンド監視制御手段１２ｆは、デマンド制御の対象とした機器１等を再起動する。
【００３０】
デマンド監視制御手段１２ｆは、当該期間が終了する時点での電力使用量の予測精度を高める工夫をする場合もある。デマンド監視制御手段１２ｆは、当該期間が終了する時点での電力使用量の予測値に十分余裕が生じた場合にデマンド制御の対象とした機器１等を当該期間内に再起動する場合もある。その結果、利用者の快適性は、可能な限り損なわれずにすむ。
【００３１】
デマンド制御の対象となり得る全ての機器１等を制御しても、当該期間が終了する時点での電力使用量の予測値が契約電力の値を超過する場合がある。この場合、契約電力よりも余裕を持った目標値または警報値が設定される。当該期間が終了する時点での電力使用量の予測値が目標値または警報値を超過した際、不要な機器１等は、手動で制御される。
【００３２】
次に、図３を用いて、制御対象機器情報の一例を説明する。
図３はこの発明の実施の形態１におけるデマンド制御装置として機能するビル管理システムの制御対象機器情報の一例を示す図である。
【００３３】
図３に示すように、制御対象機器情報は、「機器」と「レベル」と「制御」と「削減量」と「評価」とを対応付けた情報からなる。
【００３４】
「機器」は、機器の名称を示す情報からなる。例えば、機器１の名称は、「制御対象機器１−１」からなる。例えば、機器２の名称は、「制御対象機器１−２」からなる。例えば、機器３の名称は、「制御対象機器１−３」からなる。例えば、機器４の名称は、「制御対象機器２−１」からなる。例えば、機器５の名称は、「制御対象機器２−２」からなる。例えば、機器６の名称は、「制御対象機器２−３」からなる。例えば、機器７の名称は、「制御対象機器３−１」からなる。例えば、機器８の名称は、「制御対象機器３−２」からなる。例えば、機器９の名称は、「制御対象機器３−３」からなる。
【００３５】
「レベル」は、同時にデマンド制御の対象となる単位を指定する数字を示す情報からなる。例えば、「レベル」は、「１」、「２」、「３」で指定される。「レベル」の数字が小さい機器ほど、デマンド制御が行われる際の優先順位が高くなるように設定される。
【００３６】
「制御」は、当該機器がデマンド制御の対象となった際に当該機器への出力を示す情報からなる。通常、「制御」は、「ＯＦＦ」に設定される。「機器」が空調装置の場合、「制御」が温度に設定されることもある。
【００３７】
「削減量」は、当該機器への出力が「制御」の出力となった際のおおよその電力削減量を示す情報からなる。例えば、「削減量」は、当該機器の諸元に基づいて設定される。例えば、「削減量」は、当該機器に対する実測値に基づいて設定される。「削減量」は、デマンド制御が当該機器に対して行われた際の電力使用量の予測値を更新する際に用いられる。
【００３８】
「評価」は、評価手段１２ｅによる評価結果を示す情報からなる。例えば、「評価」は、数字を示す情報からなる。「評価」の数字が大きい機器ほど、デマンド制御が行われる際の優先順位が下がる可能性が高くなるように設定される。
【００３９】
次に、図４を用いて、動作履歴情報の一例を説明する。
図４はこの発明の実施の形態１におけるデマンド制御装置として機能するビル管理システムが管理する動作履歴情報の一例を示す図である。
【００４０】
図４に示すように、動作履歴情報は、「日時」と「機器」と「制御」と「機能」とを対応付けた情報からなる。
【００４１】
「日時」は、機器が制御された日時を示す情報からなる。「機器」は、制御された機器を示す情報からなる。「制御」は、当該機器の制御内容を示す情報からなる。例えば、「制御」は、当該機器がＯＮにされたかＯＦＦにされたかを示す情報からなる。「機能」は、当該機器を制御した機能を示す情報からなる。例えば、機器がスケジュール手段１２ａにより制御された場合、「機能」は、「スケジュール」となる。例えば、機器がリモコンにより制御された場合、「機能」は、「手動」となる。例えば、機器がデマンド制御により制御された場合、「機能」は、「デマンド」、「デマンド（レベル１）」、「デマンド（レベル２）」、「デマンド（レベル３）」のいずれかとなる。
【００４２】
次に、図５を用いて、評価手段１２ｅの動作を説明する。
図５は図４の動作履歴情報を視覚的に示す図である。
【００４３】
１０：４５において、機器４は、「手動」でＯＦＦにされている。１０：５０において、機器７、８は、「手動」でＯＦＦにされている。
【００４４】
１１：１０において、レベル１のデマンド制御が行われる。
【００４５】
「レベル」が「１」の機器１、４、７に対し、評価手段１２ｅは、「手動」でＯＦＦにされた時点から現時点までの時間を現時点のデマンド協力時間として制御対象機器情報の「評価」に記録する。具体的には、評価手段１２ｅは、機器４の「評価」に「２５」を記録する。評価手段１２ｅは、機器７の「評価」に「２０」を記録する。
【００４６】
１１：４０において、レベル１のデマンド制御が行われる。
【００４７】
「レベル」が「１」の機器１、４、７に対し、評価手段１２ｅは、前回の評価以降で「手動」でＯＦＦにされていた時間を制御対象機器情報の「評価」に加えて記録する。具体的には、評価手段１２ｅは、機器４の「評価」に「３０」を加えて「５５」を記録する。評価手段１２ｅは、機器７の「評価」に「３０」を加えて「５０」を記録する。
【００４８】
レベル１において、機器４の「評価」は「５５」である。これに対し、機器７の「評価」は「５０」である。このため、評価手段１２ｅは、次の期間において機器４の「レベル」を「２」に書き換える。
【００４９】
１１：４５において、レベル２のデマンド制御が行われる。
【００５０】
「レベル」が「２」の機器２、５、８に対し、評価手段１２ｅは、「手動」でＯＦＦにされた時点から現時点までの時間を現時点のデマンド協力時間として制御対象機器情報の「評価」に記録する。具体的には、評価手段１２ｅは、機器８の「評価」に「５５」を記録する。
【００５１】
レベル２において、機器４の「評価」と機器８の「評価」とは同じ「５５」である。この場合、評価手段１２ｅは、次の期間において元の「レベル」がより低い機器４の「レベル」を「３」に書き換える。
【００５２】
なお、「評価」は、デマンド制御が回避された時点でクリアされる。
【００５３】
以上で説明した実施の形態１によれば、評価手段１２ｅは、履歴情報記録手段１２ｄに記録された複数の機器の動作履歴のうちでデマンド制御の対象となっていない際の動作履歴に基づいて、デマンド制御が行われる際の機器の優先順位を評価する。このため、機器を使用する利用者に対し、デマンド制御が行われていない際に節電に積極的に努める気にさせることができる。
【００５４】
例えば、利用者が少ない部屋内の空調装置のうちの不要な空調装置を停止したり、不要な照明を消したりすればよい。この場合、気温が高くてビル全体の空調装置が高出力で動作する場合にデマンド制御を回避する可能性が高まる。
【００５５】
また、評価手段１２ｅは、予め設定された対象期間においてデマンド制御の対象となっていない際の動作していない時間が他の機器よりも長い機器に対し、デマンド制御の対象となる際の優先順位を下げる。このため、機器がデマンド制御の対象となる前に機器の負荷を減らせば、当該機器をＯＦＦにしたくない状況の場合に当該機器がデマンド制御によりＯＦＦになることを回避できる可能性がある。当該機器をＯＦＦにできない状況の場合も当該機器がデマンド制御によりＯＦＦになることを回避できる可能性がある。
【００５６】
また、同一の「レベル」の複数の機器のうちの「評価」が高い複数の機器において、デマンド制御する時間を少しずつ遅らせて設定してもよい。
【００５７】
また、評価手段１２ｅは、予め設定された期間においてデマンド制御の対象となっていない際の動作していない時間が最も長い機器に対し、デマンド制御の対象となる際の優先順位を下げる。このため、各利用者が最も節電に協力する者となるように努力することを期待できる。この際、大勢で節電を競わせても、デマンド制御を回避する機器は１つだけである。このため、大勢で競わせた電力使用量の削減量の方がデマンド制御を回避した機器の電力使用量よりも多くなる可能性が高い。その結果、デマンド制御を回避したことにより節電効果が相殺されることを防止し、ビル全体の電力使用量を押し下げることが期待できる。
【００５８】
なお、利用者がデマンド制御の対象となる際の優先順位を下げる際の日時を指定してもよい。例えば、利用者がＷｅｂシステムにより希望する機器と日時を指定してデマンド制御を回避させてもよい。同一の日時に複数の希望が存在する場合は、早く指定された機器を優先してもよい。同一の日時に複数の希望が存在する場合は、評価の高い機器を優先してもよい。
【００５９】
また、１回の期間で得られた「評価」の値を分割して指定し、デマンド制御を回避してもよい。例えば、「評価」の値よりも小さい値を指定して、デマンド制御を回避してもよい。例えば、重要顧客との打ち合わせの際に必ずデマンド制御を回避したい際に、打ち合わせ時間に対応した値を指定して、デマンド制御を回避してもよい。この際、「評価」の値から指定値を減じた値を別に指定してもよい。
【００６０】
また、機器の電力使用量の実測値に基づいて「評価」を設定してもよい。この場合、ビル全体の電力使用量をより確実に押し下げることができる。
【００６１】
また、制御対象機器情報の「機器」に利用者のメールアドレスを対応付けてもよい。この場合、デマンド制御の対象となる際の優先順位を下げられる機器に対応付けられた利用者のメールアドレスに当該機器に対してデマンド制御の対象となる際の優先順位を下げられる旨を通知する通知手段を備えればよい。例えば、日が変わるタイミングで当該機器に対してデマンド制御の対象となる際の優先順位を下げられる旨を通知すればよい。この場合、利用者は、当該当該機器に対してデマンド制御の対象となる際の優先順位を下げられる旨を当該通知により認識することができる。この際、利用者は、デマンド制御が行われる際の当該機器の優先順位を下げたい期間を指定すればよい。
【符号の説明】
【００６２】
１〜９  機器、  １ａ〜９ａ  リモコン、  １０  受電電力計、  １１  表示装置、  １２  ビル管理システム、  １２ａ  スケジュール手段、  １２ｂ  機器情報記録手段、  １２ｃ  履歴把握手段、  １２ｄ  履歴情報記録手段、  １２ｅ  評価手段、  １２ｆ  デマンド監視制御手段
【図１】
2015226414.tif 000003
【図２】
2015226414.tif 000004
【図３】
2015226414.tif 000005
【図４】
2015226414.tif 000006
【図５】
2015226414.tif 000007